(57)【要約】      （修正有）【課題】高額部品である表示部保護板に表示部の保護機能だけに留まらせずに多機能を追加して部品点数の削減ならびにコストの削減を実現させ、さらに意匠性の高い液晶保護板の提供。【解決手段】背面カバーの内側から表示部の保護板を組み込むことで外観面の段差をなくし意匠性を高め、高額部品である表示部の保護板を溶融したアクリル樹脂を金型に射出して成型することで形状の自由度を高め、表示部以外の部分を広くとることで意匠性の低下原因であるウエルドラインの発生部を表示部の保護部から回避させ、発光ダイオードの光を外部に導光させる拡散窓１２１ｂやその光の漏れを表示部保護部１２１ａに導光させないための貫通穴１２１ｃを設けたり、操作ボタンの位置決めボスやファインダの接眼レンズを一体構成することが可能となる。【選択図】図１
2007206158.tif 000002
【特許請求の範囲】
【請求項１】
外装カバーの非外観面側から組み付けられ、表示手段の前面を覆う透明な表示手段保護部を有する保護板であって、表示手段の前面を覆う保護部以外の部分に第２の保護部が設けられていることを特徴とし、該第２の保護部が信号の受光窓や光を外部に照射する照射窓であることを特徴とする表示手段の保護板。
【請求項２】
外装カバーの非外観面側から組み付けられ、表示手段の前面を覆う透明な表示手段保護部を有する保護板であって、表示手段の前面を覆う保護部以外の部分にレンズ形状が設けられていることを特徴とし、該レンズ形状がファインダのレンズないしはストロボのプリズムレンズであることを特徴とする表示手段の保護板。
【請求項３】
上記レンズないしは窓の略周囲の少なくとも一部に貫通穴が設けられていることを特徴とする請求項２に記載の表示手段の保護板。
【請求項４】
表示手段の保護部以外の部分で操作部の少なくとも一部を構成していることを特徴とする請求項１に記載の表示手段の保護板。
【請求項５】
上記操作部は押しボタンであり、押しボタンの押下部と押しボタンの支持部とからなり、その押下部の少なくとも一部が外装に設けられた穴から露出するように構成されていることを特徴とする請求項４に記載の表示手段の保護板。
【請求項６】
表示手段の保護部以外の部分で操作手段の位置決めないしは固定用の突起が出ていることを特徴とする請求項１に記載の表示手段の保護板。
【請求項７】
上記操作手段は押しボタンないしはスライドレバーないしは回転式ダイアルであることを特徴とする請求項６に記載の表示手段の保護板。
【請求項８】
外装の外観面と略同一面高さであることを特徴とする請求項１ないし７のいずれかに記載の表示手段の保護板。
【発明の詳細な説明】
【技術分野】
【０００１】
本発明はデジタルスチルカメラ等の電子機器に搭載されている表示手段（液晶パネル等）の保護板に関するものである。
【背景技術】
【０００２】
デジタルカメラや携帯電話等の電子機器においては液晶等の表示部を有している機器が主流であり、キズ、ごみ、汚れ等から表示部を守り、且つ見栄えをよくするためにアクリルやポリカーボネート等で作られた保護板が表示部を覆うように取り付けられている。しかし保護板が平板である場合には外装側で吸収しない限り外装と保護板との境界部に段差が出来てしまうが、意匠上にも段差へのゴミの溜まり易さからも段差が無いことが好ましい。
【０００３】
また、外装を金属の絞り、曲げ加工等で作成する場合には外装の板厚のほぼ半分以上の段差を設けると、曲げ部に曲面が出来てしまい易く、段差を吸収することが非常に困難であった。
【０００４】
この問題を鑑みて特許文献１では平板を追加工することで段差を吸収し、外観面側への段差を無くすことが可能となっている。
【特許文献１】特開２００５−１３８４１０号公報
【発明の開示】
【発明が解決しようとする課題】
【０００５】
しかし表示部の保護板は表示部上にキズが付き難いようにハードコーティングを施していたり、表示部が見え難くなる原因である外光の反射を抑えるために反射防止コーティングを施す必要があり、高額になってしまっているにもかかわらず、上記特許文献１のように平板を切削加工で作成する場合には、元の形状の制限や切削加工工程の増大によりその他の機能の追加ができなかったという問題があった。
【０００６】
また、溶融した樹脂を所望の形状を転写した金型に射出して成型する方法が過去にとられたことは上記特許文献１に記載されているが、その利用法は表示手段の保護に限定されていた。
【０００７】
本発明においては表示部の保護板にその他の機能を追加することを可能にし、他の機能が付加された表示部保護板を提供することを課題とした。特許文献１では射出成型ではウエルドラインが発生することを課題として挙げているが、表示手段の保護部以外の部分を広くとることでウエルドラインの発生部を表示手段の保護部から回避させることが可能となっている。
【０００８】
本出願に係る第１の発明は外装の内側から組み付けることにより外装カバーと表示部保護板との接着部を外観から視認出来ないようにすることができる上、信号の受光窓や光を外部に照射する照射窓等の保護部と一体にすることで部品点数の削減を行うことを目的とする。
【０００９】
本出願に係る第２の発明は外装の内側から組み付けることにより外装カバーと表示部保護板との接着部を外観から視認出来ないようにすることができる上、ファインダのレンズやストロボのプリズムレンズと一体にすることで部品点数の削減を行うことを目的とする。
【００１０】
本出願に係る第３の発明は部品を追加せずに外観側へ照射していかなかった不要光が機器内部に拡散してしまうのを防ぐことを目的とする。
【００１１】
本出願に係る第４の発明は部品点数を追加することなく操作部材の一部を構成させることを目的とする。
【００１２】
本出願に係る第５の発明は部品点数を追加することなく押しボタンの押下部および支持部を構成することを目的とする。
【００１３】
本出願に係る第６の発明は絞り成型された金属外装カバー等の場合に形成が困難な位置決めや固定用突起を精度良く容易に形成することを目的とする。
【００１４】
本出願に係る第７の発明は主な位置決め対象である操作ボタンやスライドレバー、回転ダイアルの位置決めを精度良く行うことを目的とする。
【００１５】
本出願に係る第８の発明は外装カバーと表示部保護板の段差を無くすことができ、美観を向上させることを目的とする。
【課題を解決するための手段】
【００１６】
本発明の表示手段の保護板は、外装カバーの非外観面側から組み付けられ、表示手段の前面を覆う透明な表示手段保護部を有する保護板であって、表示手段の前面を覆う保護部以外の部分に第２の保護部が設けられていることを特徴とし、該第２の保護部が信号の受光窓や光を外部に照射する照射窓であることを特徴としている。
【００１７】
また、外装カバーの非外観面側から組み付けられ、表示手段の前面を覆う透明な表示手段保護部を有する保護板であって、表示手段の前面を覆う保護部以外の部分にレンズ形状が設けられていることを特徴とし、該レンズ形状がファインダのレンズないしはストロボのプリズムレンズであることを特徴としている。
【００１８】
また、本発明の他の特徴とするところは、上記レンズないしは窓の略周囲の少なくとも一部に貫通穴が設けられていることを特徴としている。
【００１９】
また、本発明の他の特徴とするところは、表示手段の保護部以外の部分で操作部の少なくとも一部を構成していることを特徴としている。
【００２０】
また、本発明の他の特徴とするところは、上記操作部は押しボタンであり、押しボタンの押下部と押しボタンの支持部とからなり、その押下部の少なくとも一部が外装に設けられた穴から露出するように構成されていることを特徴としている。
【００２１】
また、本発明の他の特徴とするところは、表示手段の保護部以外の部分で操作手段の位置決めないしは固定用の突起が出ていることを特徴としている。
【００２２】
また、本発明の他の特徴とするところは、上記操作手段は押しボタンないしはスライドレバーないしは回転式ダイアルであることを特徴としている。
【００２３】
また、本発明の他の特徴とするところは、外装の外観面と略同一面高さであることを特徴としている。
【発明の効果】
【００２４】
以上説明したように、本発明に係る第１の発明によれば、外装の内側から組み付けることにより外装カバーと表示部保護板との接着部を外観から視認出来ないようにすることができる上、信号の受光窓や光を外部に照射する照射窓等の保護部と一体にすることで部品点数の削減を行うことが可能となる。
【００２５】
本発明に係る第２の発明によれば、外装の内側から組み付けることにより外装カバーと表示部保護板との接着部を外観から視認出来ないようにすることができる上、ファインダのレンズやストロボのプリズムレンズと一体にすることで部品点数の削減を行うことが可能となる。
【００２６】
本発明に係る第３の発明によれば、部品を追加せずに外観側へ照射していかなかった不要光が機器内部に拡散してしまうのを防ぐことが可能となる。
【００２７】
本発明に係る第４の発明によれば、部品点数を追加することなく操作部材の一部を構成させることが可能となる。
【００２８】
本発明に係る第５の発明によれば、部品点数を追加することなく押しボタンの押下部および支持部が構成可能となる。
【００２９】
本発明に係る第６の発明によれば、絞り成型された金属外装カバー等の場合に形成が困難な位置決めや固定用突起を精度良く容易に形成することが可能となる。
【００３０】
本発明に係る第７の発明によれば、主な位置決め対象である操作ボタンやスライドレバー、回転ダイアルの位置決めを精度良く行うことが可能となる。
【００３１】
本発明に係る第８の発明によれば、外装カバーと表示部保護板の段差を無くすことができ、美観を向上させることが可能となる。
【発明を実施するための最良の形態】
【００３２】
以下本発明を実施するための最良の形態を、実施例により詳しく説明する。
【実施例１】
【００３３】
図３および図４に本実施例を適用したカメラの分解斜視図を示す。図において１はカメラの正面側を覆う前面カバー、２は裏側を覆う背面カバー、１１は撮影レンズ等を保持する鏡筒ユニットであり、鏡筒を駆動させるためのズームモーター１３およびギアユニット１４が一体的に組みつけられている。そして鏡筒ユニット１１は、鏡筒固定ねじ１２ａ、１２ｂ，１２ｃにより金属シャーシ４に固定される。
【００３４】
２１は電池２３を保持するための電池ケースであり、電池ケース固定ねじ２２ａおよび２２ｂによって金属シャーシ４に固定される。図に示すように電池ケース２１の一面は一部壁のない開口部２１ａがあり、メモリカードスロット５２によってふたがされるように構成されている。また、メイン配線基板５１にコネクタ接続されている電源フレキシブル配線基板３１の電池ケース２１側には電源コネクタ３２および映像、音声のジャック３３が実装され、電池ケース２１に設けられた凹部２１ｅおよび２１ｆに組み合わせれるように配されている。該電池ケース２１には３角形の穴２１ｂがあけられている。この穴２１ｂの位置は電池２３上にある挿入方向指示マーク２３ａに左右方向を略同一とし、この位置を合わせて電池２３を電池ケース２１に挿入することで、電池２３が正しく挿入されるようにしている。また、電池ケース２１に設けられた３角形の穴２１ｂの裏には金属シャーシ４があり、金属製のため銀色が３角形の穴２１ｂから覗いて見え、３角形の穴の視認性を向上させている。
【００３５】
４１はストロボユニットであり、４２はストロボ発光部、下方に伸びたフレーム部分にストロボ回路を実装したストロボフレキシブル配線基板４３が貼り付けられるとともに、ストロボコンデンサー４４が固定されている。そして該ストロボユニット４１は前記鏡筒ユニット１１に組みつけられたズームモーター１３およびギアユニット１４の前面に配され、側面よりストロボ固定ねじ４５により金属シャーシ４に固定されている。この際、前記ストロボ発光部４２の幅はその後部に配置されている前記ズームモーター１３およびギアユニット１４を合わせた幅と略同一としたため、これらがスペースの無駄なく配置されている。
【００３６】
５１はＣＰＵやメモリ、画像処理ＬＳＩ、電源回路等が実装されたメイン配線基板であり、背面に映像や音声を保存する外部メモリであるメモリーカード５３のスロット５２およびＵＳＢコネクタ５４が実装されている。そして該メイン配線基板５１はメイン配線基板固定ねじ５５ａ、５５ｂおよび５５ｃによって金属シャーシ４にねじ止めされる。
【００３７】
６１はレリーズスイッチ、電源スイッチ等を実装した操作フレキシブル配線基板、７１はスピーカーであり、その端子部は操作フレキシブル配線基板６１に設けられた銅箔露出部と接触することで導通を図っている。
【００３８】
８１は液晶パネルであり液晶カバー８２でカバーすることによってバックライト８３と一つのユニットを構成している。この液晶パネル８１とバックライト８３のユニットは液晶固定ねじ８４ａおよび８４ｂによって金属シャーシ４に固定される。また８５は補強板であり、外圧から液晶パネル８１を保護するためにとり付けられている。
【００３９】
９１は十字ボタンであり、デコレーション用の十字ボタンキャップ９２が接着固定されており、センターボタン９３と共に操作部材保持マット９４に固定され、それぞれのボタンが中立位置に復帰するようになっている。これらボタンの押し込み方向には２種類のスイッチがあり、１つはシートにボタンの押下点の数だけ金属ドームが貼り付けられた金属ドームシート９５であり、その金属ドームの反転により操作フレキシブル配線基板６１上に設けられたパターンをショートさせることにより入力が行われる。もう１つは、ある同一円周上の軌跡上を金属ドームを反転させる力よりも軽い力で押下すると押下した座標によって入力される値が連続的に異なるアナログスイッチ９６である。
【００４０】
１０１はカメラの動作モードの切り替えレバー１０２、ズームレバー１０７、レリーズボタン１０８、電源ボタン１０９を保持する上面カバーであり、電池ケース２１の上面に操作フレキシブル配線基板６１をはさんで配置される。また、該上面カバー１０１の側部にはＵＳＢコネクタ５４および映像と音声のジャック３３をカバーするためのジャックカバー１１０を収納する凹部１０１ａが設けられている。
【００４１】
カメラの動作モードの切り替えレバー１０２は、左右に動かすことで静止画撮影、動画撮影、画像再生を切り替える。該動作モード切り替えレバー１０２は上面カバー１０１を挟んで、背面のクリック板１０３および切片１０４とともに動作モード切り替えレバー固定ねじ１０５によって固定され、クリック板１０３に設けられた３つの穴の間をクリックボール１０６が移動することでクリック感を出している。また、操作フレキシブル配線基板６１上の銅箔露出部のパターン上を移動することにより動作モードが電気的に切り替えられる。
【００４２】
１１１は側面カバーであり、強度とデザイン上の観点からダイキャストにより成型されている。そしてカメラの側面を覆うとともに、略中央に穴１１１ａが開けられ、その間のバー部１１１ｂにストラップ紐１１２がかけられるようになっている。また、該穴部１１１ａには背面より内部が半球状にくりぬかれたインナー部材１１３がはめ込まれ、ストラップ紐１１２がかけやすくされるとともに、その壁面が、前記側面カバー１１１の穴部１１１ａの周囲をカバーするように配されることでストラップ紐１１２が穴周囲のエッジで切断されることを防ぎ、また、指等がエッジに触れて怪我をすることを防いでいる。そして、該側面カバー１１１は側面カバーねじ１１４ａおよび１１４ｂによって、正面カバー１，背面カバー２およびインナー部材１１３を挟み込んだ状態で金属シャーシ４に固定される。５は三脚取り付け用のねじが切られた三脚取り付け座である。
【００４３】
そして正面カバー１および背面カバー２は側面固定ねじ６ａ、６ｂにより側面より、また、底面固定ねじ７ａ、７ｂにより底面より固定される。
【００４４】
続いて、図１、２、５、６を用いて本発明の実施例１の表示部保護板の詳細について説明する。
【００４５】
本発明の実施例１の表示部保護板１２１は背面カバー２の内側の面をほぼ転写した形状であり、この表示部保護板１２１には一方の面に両面テープ１２２が事前に貼り付けられており、その両面テープ１２２を接着材として背面カバー２と一体で固定される。このとき、表示部保護板１２１の背面カバー２との接着面側が背面カバーの内側の面をほぼ転写した形状であるため接着面を広くとることが可能となり、良好な密着性を確保している。さらに、表示部保護部１２１ａの外観面は背面カバー２の外観面とほぼ同一高さであり、意匠性に優れた平らな外観面を形成している。また表示部以外の部分を広くとることで意匠性の低下原因であるウエルドラインの発生部を表示部の保護部から回避させることが可能となっている。
【００４６】
表示部保護部１２１ａ以外の場所に発光ダイオード６３の光を外部に照射するための拡散窓１２１ｂが形成されており、拡散窓１２１ｂの天面、底面それぞれにしぼ処理が施されている。この発光ダイオード６３の光は撮影時に合焦を知らせたり、表示部が節電で切られた時に主電源が投入されていることを使用者に伝える役目を担っている。その拡散窓１２１ｂの表示部保護部１２１ａ側には貫通穴１２１ｃがある。この貫通穴１２１ｃは操作フレキシブル配線基板６１上に実装された発光ダイオード６３の光が拡散窓１２１ｂに入光せずに漏れてしまう不要な光を表示部保護部１２１ａの領域に到達させないために側面１２１ｄで反射させてしまう働きを持つ。もしこの貫通穴１２１ｃがない場合には漏れた光が表示部保護部に導光され外観から視認できてしまい品位の低下に繋がってしまう。ここで拡散窓１２１ｂは天面、底面を平らで図示しているがしぼ処理の有無は問わない。また集光、拡散させるために凸ないしは凹のレンズ形状を成していても問題はない。
【００４７】
本発明の第一の実施例の表示部保護板１２１には、金属の外装カバーからは成型上及び意匠上形成させることが困難である操作ボタンの位置決めボス１２１ｅ、１２１ｆ、１２１ｇ、１２１ｈが設けられており、後述の２つの操作ボタンを精度良く位置決めすることができる。この位置決めのあと、接着剤によって表示部保護板１２１に接着固定される。操作ボタンの１つはその中心部に導光部材１２４が貼り付けられた発光ボタン１２３であり、操作フレキシブル配線基板６１に実装されたタクトスイッチ６２を導光部材１２４によって押すように構成されている。そしてタクトスイッチ６２の横には発光ダイオード６３が配されており、導光部材１２４を通して発光ダイオード６３の発した光が発光ボタン１２３の表面に導かれる。また１２５はメニューボタンと情報表示ボタンを一体を形成した部品である。ここでは押下ボタンを例にとって説明しているが、スライドレバーの摺動ガイドのボスとしても良いし、回転ダイアルの回転中心のボスとしても問題はない。
【００４８】
本発明の第一の実施例により、高額部品である表示部保護板に多数の機能（発光ダイオードの拡散窓、その光漏れを反射させる、操作ボタンの位置決め）を持たせることが可能となり部品点数の削減及びコストの削減が可能となる。
【実施例２】
【００４９】
図７および図８を用いて本発明の実施例の液晶保護板について説明する。実施例１と同様に背面カバー２０１内側に液晶保護板２０２を固定する構造であるが、表示部保護部２０２ａの上部に被写体の画角を確認するためのファインダ（図示せず）のファインダ接眼レンズ部２０２ｂが形成され、部品点数の削減が可能となっている。ここではファインダの接眼レンズを例にとり説明しているが接眼レンズ以外のレンズ、例えば対物レンズであっても問題はない。その他にも光や信号の出入りが関係し、保護することやレンズを必要とする部分には全て適用可能である。例えばストロボの発光部を保護するプロテクターや配光角度を制御するプリズムレンズ、更にはリモコンの信号の受光センサーを保護するように構成しても問題はない。
【００５０】
さらに、表示部保護板２０２に細い腕部２０２ｃを形成することで、操作ボタン部の操作部２０２ｄを中立位置に支持しつつ、適度な反力を持たせている。この操作ボタン部の操作部２０２ｄは導光部材として機能し、不図示のタクトスイッチを押すように構成している。またこのタクトスイッチの脇には不図示の発光ダイオードが配されており、操作ボタン部の操作部２０２ｄを導光部材として機能させ、発光ダイオードの発した光が操作ボタンの操作部２０２ｄの表面に導かれる。この操作ボタンの操作部２０２ｄには操作ボタンキャップ２０３がかぶせられおり、操作ボタンの操作部２０２ｄの表面の一部を覆うことで光らせる形状を制御している。
【００５１】
その他のカメラとしての構成は実施例１と同様であるため省略している。本発明の第二の実施例により、ファインダの接眼レンズや操作ボタンを一体で構成することが可能となり部品点数の削減及びコストの削減が可能となる。
【００５２】
本実施例及び実施例１を組み合わせることは一切問題はないため、組み合わせによりさらに部品点数の削減ならびにコストの削減が可能となる。
【図面の簡単な説明】
【００５３】
【図１】本発明の実施例１の液晶保護板の正面図
【図２】本発明の実施例１の背面カバーユニットの分解斜視図
【図３】本発明の実施例１のカメラの分解斜視図
【図４】本発明の実施例１のカメラの分解斜視図
【図５】本発明の実施例１の液晶保護板の斜視図
【図６】本発明の実施例１のカメラの断面略図
【図７】本発明の実施例２の背面カバーユニットの分解斜視図
【図８】本発明の実施例２の背面カバーユニットの斜視図
【符号の説明】
【００５４】
１      前面カバー
２      背面カバー
４      金属シャーシ
５      三脚取り付け座
６ａ    側面固定ねじ
６ｂ    側面固定ねじ
７ａ    底面固定ねじ
７ｂ    底面固定ねじ
１１    鏡筒ユニット
１２ａ  鏡筒固定ねじ
１２ｂ  鏡筒固定ねじ
１２ｃ  鏡筒固定ねじ
１３    ズームモーター
１４    ギアユニット
２１    電池ケース
２１ａ  電池ケースの開口部
２１ｂ  電池ケースに設けられた３角形状
２１ｃ  位置決めボス
２１ｄ  位置決めボス
２１ｅ  電池ケースに設けられた凹部
２１ｆ  電池ケースに設けられた凹部
２２ａ  電池ケース固定ねじ
２２ｂ  電池ケース固定ねじ
２３    電池
２３ａ  挿入方向指示マーク
３１    電源フレキシブル配線基板
３２    電源コネクタ
３３    映像と音声のジャック
４１    ストロボユニット
４２    ストロボ発光部
４３    ストロボフレキシブル配線基板
４４    ストロボコンデンサー
４５    ストロボ固定ねじ
５１    メイン配線基板
５２    メモリカードスロット
５３    メモリーカード
５４    ＵＳＢコネクタ
５５ａ  メイン配線基板固定ねじ
５５ｂ  メイン配線基板固定ねじ
５５ｃ  メイン配線基板固定ねじ
６１    操作フレキシブル配線基板
６２    タクトスイッチ
６３    発光ダイオード
６４    接点パターン
６５    コネクタ
７１    スピーカー
８１    液晶パネル
８２    液晶カバー
８３    バックライト
８４ａ  液晶固定ねじ
８４ｂ  液晶固定ねじ
８５    補強板
９１    十字ボタン
９２    十字ボタンキャップ
９３    センターボタン
９４    操作部材保持マット
９５    金属ドームシート
９６    アナログスイッチ
１０１    上面カバー
１０１ａ  上面カバーに設けられた凹部
１０２    動作モードの切り替えレバー
１０３    クリック板
１０４    切片
１０５    動作モード切り替えレバー固定ねじ
１０６    クリックボール
１０７    ズームレバー
１０８    レリーズボタン
１０９    電源ボタン
１１０    ジャックカバー
１１１    側面カバー
１１１ａ  穴
１１１ｂ  バー部
１１２    ストラップ紐
１１３    インナー部材
１１４ａ  側面カバーねじ
１１４ｂ  側面カバーねじ
１２１    表示部保護板
１２１ａ  表示部保護部
１２１ｂ  拡散窓
１２１ｃ  貫通穴
１２１ｄ  側面
１２１ｅ  位置決めボス
１２１ｆ  位置決めボス
１２１ｇ  位置決めボス
１２１ｈ  位置決めボス
１２２    両面テープ
１２３    発光ボタン
１２４    導光部材
１２５    メニューボタンと情報表示ボタンを一体を形成した部品
２０１    背面カバー
２０２    表示部保護板
２０２ａ  表示部保護部
２０２ｂ  ファインダ接眼レンズ部
２０２ｃ  腕部
２０２ｄ  操作ボタン部の操作部
２０３    操作ボタンキャップ
【図１】
2007206158.tif 000003
【図２】
2007206158.tif 000004
【図３】
2007206158.tif 000005
【図４】
2007206158.tif 000006
【図５】
2007206158.tif 000007
【図６】
2007206158.tif 000008
【図７】
2007206158.tif 000009
【図８】
2007206158.tif 000010